(57)【要約】      （修正有）【課題】エレベータの引き戸の強度や剛性を高めることなく、引き戸に設けられたガイドシューが敷居の案内溝から外れるのを阻止する。【解決手段】エレベータドア装置は、引き戸１と、開口部付近で溝幅が狭まった幅狭部と幅狭部の下部の幅広部とを有する案内溝５が形成された敷居４と、引き戸１の下端から下方に突出して取り付けられた保持部材９と、保持部材９に取り付けられて、弾性材料からなり、溝幅方向の幅が、幅狭部の溝幅と同等以下で、引き戸１の開閉に合わせて案内溝５内を間口方向に摺動する摺動部材と、保持部材９に取り付けられて、幅広部で溝幅方向に突出するように配置されて、溝幅方向の幅が、摺動部材の溝幅方向の幅と同等以下であって、摺動部材よりも硬い材料からなる抜け止め部と、を有する。【選択図】図１
2010208745.tif 000002
【特許請求の範囲】
【請求項１】
上部から吊り下げられてエレベータの出入口を間口方向に水平に移動して当該出入口を開閉する引き戸と、
前記引き戸の下方に沿って間口方向に延びる案内溝が形成され、当該案内溝が、上向きの開口部付近でその溝幅が狭まった幅狭部と、その幅狭部の下方で溝幅が広がった幅広部とを有するように構成された敷居と、
前記引き戸の下端から下方に突出して取り付けられた保持部材と、
前記保持部材に取り付けられて、弾性材料からなり、溝幅方向の幅が、前記案内溝の幅狭部の溝幅と同等以下で、前記引き戸の開閉に合わせて前記案内溝内を間口方向に摺動する摺動部材と、
前記保持部材または摺動部材に取り付けられて、前記案内溝の幅広部で溝幅方向に水平に突出するように配置されて、溝幅方向の幅が、前記摺動部材の溝幅方向の幅と同等以下であって、前記摺動部材よりも硬い材料からなる抜け止め部と、
を有することを特徴とするエレベータドア装置。
【請求項２】
前記引き戸を間口方向に垂直な方向に押して前記摺動部材を押しつぶしたときにその摺動部材の溝幅方向の幅が前記抜け止め部の溝幅方向の幅よりも小さくなるように構成されていること、を特徴とする請求項１に記載のエレベータドア装置。
【請求項３】
前記引き戸はエレベータの乗り場ドアであって、前記抜け止め部はエレベータの昇降路側のみに突出していること、を特徴とする請求項１または請求項２に記載のエレベータドア装置。
【請求項４】
前記引き戸はかごドアであって、前記抜け止め部はエレベータの乗り場側のみに突出していること、を特徴とする請求項１または請求項２に記載のエレベータドア装置。
【請求項５】
前記案内溝の幅広部は幅狭部に対して、抜け止め部が突出している面に対向する面側のみに膨らんでいること、を特徴とする請求項３または請求項４に記載のエレベータドア装置。
【請求項６】
前記保持部材は、引き戸の下端から下方に延びて前記案内溝の幅狭部を貫通して前記幅広部まで延び、
抜け止め部は、前記幅広部内で前記保持部材に固定されて溝幅方向に延びる棒状部を含むこと、
を特徴とする請求項１ないし請求項５のいずれか一項に記載のエレベータドア装置。
【請求項７】
前記摺動部材と前記抜け止め部とが２相で一体成形されていることを特徴とする請求項１ないし請求項６のいずれか一項に記載のエレベータドア装置。
【請求項８】
前記摺動部材は軟質ゴム製で、前記抜け止め部が前記軟質ゴムよりも硬い硬質ゴム製であって、摺動部材と抜け止め部とが、２層成形され、あるいは接着または溶着されたものであることを特徴とする請求項７に記載のエレベータドア装置。
【発明の詳細な説明】
【技術分野】
【０００１】
この発明はガイドシューを備えたエレベータドア装置に関する。
【背景技術】
【０００２】
エレベータドア装置として、たとえば特許文献１に記載の技術が知られている。特許文献１に記載のエレベータドア装置では、エレベータの出入り口を開閉するスライド可能な引き戸が設けられ、引き戸の下縁部にガイドシュー（案内片）が設けられている。ガイドシューは、敷居に設けられた案内溝に沿ってスライド可能に勘合されている。
【０００３】
案内溝の横幅（溝幅）寸法は、ガイドシューの横幅寸法よりもわずかに大きく形成され、ガイドシューは案内溝に対して上方から出し入れ可能となっている。
【０００４】
なお、エレベータ引き戸としては、エレベータ乗り場に設けられた乗り場ドアおよび、乗りかごに設けられたかごドアが該当する。
【先行技術文献】
【特許文献】
【０００５】
【特許文献１】特開２００１−５８７８４号公報
【発明の概要】
【発明が解決しようとする課題】
【０００６】
特許文献１に記載されたエレベータ装置においては、以下の点について配慮がなされていない。
【０００７】
すなわち、エレベータ利用者や搬送中の荷物が引き戸に衝突すると、引き戸に大きな外力が作用して引き戸が大きくたわむ場合がある。引き戸が大きくたわむと、このたわみに伴ってガイドシューが上方へ持ち上げられ、ガイドシューが敷居の案内溝からはずれ、引き戸の開閉が妨げられることが考えられる。
【０００８】
なお、引き戸の強度や剛性を高めれば、引き戸に外力が作用した場合における引き戸のたわみ量を小さくすることができ、ガイドシューが敷居の案内溝から外れるのを防止できる。しかしその場合には、引き戸の強度や剛性を高めるために行なう補強により引き戸の重量が増し、重量が増した引き戸を開閉する場合の慣性エネルギが増大する。そのため,引き戸を開閉するための駆動装置の駆動力を上げる必要が生じたり、戸閉動作時に人や物が引き戸にはさまれた場合における引き戸の緊急停止性能が低下したりするという課題が生じる。
【０００９】
本発明はかかる課題を解決するためになされたものであって、その目的は、エレベータの引き戸の強度や剛性を高めることなく、引き戸に設けられたガイドシューが敷居の案内溝から外れるのを阻止することである。
【課題を解決するための手段】
【００１０】
上記目的を達成するために、本発明に係るエレベータドア装置は、上部から吊り下げられてエレベータの出入口を間口方向に水平に移動して当該出入口を開閉する引き戸と、前記引き戸の下方に沿って間口方向に延びる案内溝が形成され、当該案内溝が、上向きの開口部付近でその溝幅が狭まった幅狭部と、その幅狭部の下方で溝幅が広がった幅広部とを有するように構成された敷居と、前記引き戸の下端から下方に突出して取り付けられた保持部材と、前記保持部材に取り付けられて、弾性材料からなり、溝幅方向の幅が、前記案内溝の幅狭部の溝幅と同等以下で、前記引き戸の開閉に合わせて前記案内溝内を間口方向に摺動する摺動部材と、前記保持部材または摺動部材に取り付けられて、前記案内溝の幅広部で溝幅方向に水平に突出するように配置されて、溝幅方向の幅が、前記摺動部材の溝幅方向の幅と同等以下であって、前記摺動部材よりも硬い材料からなる抜け止め部と、を有することを特徴とする。
【発明の効果】
【００１１】
本発明によれば、エレベータの引き戸の強度や剛性を高めることなく、引き戸に設けられたガイドシューが敷居の案内溝から外れるのを阻止することができ、しかも、据付や保守が容易である。
【図面の簡単な説明】
【００１２】
【図１】本発明に係るエレベータドア装置の第１の実施形態のガイドシュー付近を示す部分斜視図である。
【図２】本発明に係るエレベータドア装置の第１の実施形態のガイドシュー付近を示す部分側面図である。
【図３】図２のエレベータドア装置において乗りかごの引き戸を乗り場側に押した状態におけるガイドシュー付近を示す部分側面図である。
【図４】本発明に係るエレベータドア装置の第２の実施形態のガイドシュー付近を示す部分側面図である。
【図５】本発明に係るエレベータドア装置の第３の実施形態のガイドシュー付近を示す部分側面図である。
【図６】本発明に係るエレベータドア装置の第４の実施形態のガイドシュー付近を示す部分側面図である。
【発明を実施するための形態】
【００１３】
以下に、図面を参照して本発明の実施形態について説明する。ここで、互いに同一または類似の部分には共通の符号を付して重複説明は省略する。
【００１４】
［第１の実施形態］
図１は本発明に係るエレベータドア装置の第１の実施形態のガイドシュー付近を示す部分斜視図である。図２は、第１の実施形態のガイドシュー付近を示す部分側面図である。
【００１５】
この実施形態のエレベータドア装置では、エレベータ乗りかごに、エレベータの出入り口を開閉する水平方向にスライド可能な引き戸１であるかごドアが設けられている。この引き戸１は上方のレール（図示せず）に支えられ吊り下げられるとともに、レールに沿って水平にスライド駆動されるように構成されている。
【００１６】
引き戸１の下縁部にはガイドシュー２が、取り付けネジ３により、着脱可能にネジ止めされている。ガイドシュー２は、引き戸１の下縁の長手方向に沿って複数個が取り付けられている。
【００１７】
エレベータ乗りかごには、引き戸１の下縁に対向する位置に敷居４が設けられ、この敷居４には、ガイドシュー２がスライド可能に嵌合する案内溝５が形成されている。
【００１８】
案内溝５は、引き戸１のスライド方向に沿って直線状に形成され、この案内溝５の長手方向と直交する面内の断面形状が、図２に示すように、下側に位置する幅広部６と上側に位置する幅狭部７とを有し、その間に顎部１２が形成されている。案内溝５を長手方向と直交する面で切断した場合の案内溝５の幅広部６の横幅寸法Ａが幅狭部７の幅寸法Ｂよりも大きい（Ｂ＜Ａ）。
【００１９】
ガイドシュー２は、保持部材９と抜け止め部１０と摺動部材１１とを有する。保持部材９は、取り付けネジ３により引き戸１に取り付けられて、鉛直下方に延びて幅狭部７を貫通し、摺動部材１１に形成された上下方向に延びる貫通穴を貫通して幅広部６にまで延びている。抜け止め部１０は幅広部６内にあって保持部材９の下端に取り付けられて水平方向に張り出している。摺動部材１１は、保持部材９で保持されるとともにその下端を抜け止め部１０で保持されている。摺動部材１１の溝幅方向の幅Ｃは幅狭部７の幅Ｂよりもわずかに小さく（Ｃ＜Ｂ）、抜け止め部１０の溝幅方向の幅Ｄは摺動部材１１の幅Ｃと同等、またはこれよりもわずかに小さい（Ｄ≦Ｃ）。保持部材９および抜け止め部１０は、たとえば金属製であって、硬質材料からできている。摺動部材１１はゴムなどの弾性材料からできている。ただし、摺動部材１１は、案内溝５の幅狭部７との間で摺動するときに滑りやすく、摩耗しにくいものがよい。
【００２０】
引き戸１が開閉するとき、摺動部材１１が案内溝５の幅狭部７に摺動しながら引き戸１をガイドし、案内溝５に沿って移動する。
【００２１】
このかごドアの引き戸１が閉じた状態で、乗りかご内の人または荷物が引き戸１を乗り場側に押した場合、引き戸１は、図３に示すように、摺動部材１１の乗り場側（図の右側）が案内溝５の幅狭部７に押し付けられて押された摺動部材１１の部分が圧縮され、引き戸１は乗り場側に傾く。このとき、抜け止め部１０の突出部が幅広部６と幅狭部７の間の顎部１２に引っかかる。これにより、抜け止め部１０が幅広部６の外に出るのが阻止され、ガイドシュー２が案内溝５から外れるのが阻止される。
【００２２】
しかも、この実施形態では、敷居４の上方に取り付けられた引き戸１にガイドシュー２を取り付ける際に、ガイドシュー２を案内溝５の真上から降ろしていけば摺動部材１１を案内溝５内の所定位置に配置することができるので、取り付けや保守の作業が容易である。
【００２３】
［第２の実施形態］
図４は、本発明に係るエレベータドア装置の第２の実施形態のガイドシュー付近を示す部分側面図である。この実施形態では、案内溝５の幅広部６が乗り場側にだけ広がっており、顎部１２が乗り場側だけに形成されている。また、抜け止め部１０は乗り場側だけに突出するように形成されている。その他の構成は第１の実施形態と同様である。
【００２４】
かごドアの引き戸１が閉じた状態で人や荷物に押されるのは乗りかごから乗り場に向かう方向（図４の左から右に向かう方向）に限られるため、ガイドシュー２の外れ防止のためにはこれで十分である。しかも、この実施形態では、反乗り場側では、案内溝５の顎部がなく、案内溝５の面が平坦で摺動部材１１全体と接触するので、第１の実施形態に比べて案内溝５と摺動部材１１との接触面積を大きくとることができ、接触圧力が小さくなり、摺動部材１１の摩耗が少なくなる。
【００２５】
［第３の実施形態］
図５は、本発明に係るエレベータドア装置の第３の実施形態のガイドシュー付近を示す部分側面図である。この実施形態では、抜け止め部１０が金属製の棒状体（ピン）であって、案内溝５の幅広部６内で保持部材９に固定されて、案内溝５の延びる方向に垂直に水平に延びるように配置されている。たとえば、摺動部材１１に貫通孔が形成され、この貫通孔に抜け止め部１０を貫通させて、抜け止め部１０を保持部材９に固定することにより、摺動部材１１を保持することができる。
【００２６】
この実施形態によれば、簡単な構造で摺動部材１１を案内溝５内の所定位置に保持することができ、第１の実施形態と同様の効果を得ることができる。
【００２７】
［第４の実施形態］
図６は、本発明に係るエレベータドア装置の第４の実施形態のガイドシュー付近を示す部分側面図である。この実施形態では、摺動部材１１は軟質ゴム製で、抜け止め部１０は摺動部材１１よりも軟らかい軟質ゴム製であって、摺動部材１１の下部に抜け止め部１０が密着するように、２相一体成形されている。
【００２８】
この実施形態によれば、摺動部材１１と抜け止め部１０とをあらかじめ一体に成形したうえでこれを保持部材９に取り付ければいいので、その取り付け作業を簡素化することができる。また、第１の実施形態と同様の効果を得ることができる。
【００２９】
［他の実施形態］
以上説明した各実施形態は単なる例示であって、本発明はこれらに限定されるものではない。
【００３０】
たとえば、第１ないし第３の実施形態の説明では、抜け止め部１０を保持部材９に取り付けることとしたが、抜け止め部１０を摺動部材１１に取り付けるように変更することもできる。
【００３１】
また、上記実施形態では、本発明を、乗りかごに取り付けられたかごドアに適用した場合について説明したが、乗り場ドアについても同様に適用することができる。乗り場ドアの場合、人や荷物が引き戸を押す可能性があるのは、乗り場側から昇降路側に向かう方向となる。そのため、第２の実施形態では、顎部１２および抜け止め部１０が昇降路側に配置されることになる。
【００３２】
さらに、上記各実施形態の特徴を相互に組み合わせることもできる。たとえば、第３または第４の実施形態において、第２の実施形態のように抜け止め部１０および顎部１２を片側に配置することもできる。
【符号の説明】
【００３３】
１  ：  引き戸
２  ：  ガイドシュー
３  ：  取り付けネジ
４  ：  敷居
５  ：  案内溝
６  ：  幅広部
７  ：  幅狭部
９  ：  保持部材
１０  ：  抜け止め部
１１  ：  摺動部材
１２  ：  顎部
【図１】
2010208745.tif 000003
【図２】
2010208745.tif 000004
【図３】
2010208745.tif 000005
【図４】
2010208745.tif 000006
【図５】
2010208745.tif 000007
【図６】
2010208745.tif 000008